(57)【特許請求の範囲】
【請求項１】
時刻情報を含む電波を受信するアンテナと所定の情報を表示するための表示部材を駆動するモータとを備えた電波修正時計において、
前記アンテナは、コアとコイルとを有するアンテナ本体と、前記コアに磁気的に結合された、磁性材料からなる少なくとも一つの受信リード板とを含み、
前記電波修正時計の中心と前記アンテナ本体の中心とを通り、かつ前記コアの軸に対して略直交する方向に沿って仮想的に設定された分割線により分割して得られた２つの分割領域のうち、少なくとも一方の分割領域に前記モータが配置され、
前記モータのうち少なくとも一部が、前記受信リード板と平面視において重なるように配置され、
前記モータは複数のモータであり、
前記複数のモータのうち２つのモータは、前記２つの分割領域に各別に配置され、
前記２つの分割領域に各別に配置された２つのモータのうち少なくとも一方のモータの少なくとも一部が、前記受信リード板と平面視において重なるように配置され、
前記コアおよび前記受信リード板から離れた位置に耐磁板が設けられ、前記耐磁板は、前記２つのモータのうち他方のモータと平面視において重なるように配置されていることを特徴とする電波修正時計。
【請求項２】
前記一方のモータにおけるロータの保持力が、他方のモータにおけるロータの保持力よりも大きく設定されていることを特徴とする請求項１に記載の電波修正時計。
【請求項３】
前記他方のモータは前記一方のモータよりも駆動頻度の高いモータであることを特徴とする請求項１または２に記載の電波修正時計。
【請求項４】
前記耐磁板は前記受信リード板よりも最大飽和磁束密度の大きい特性を有する材料により形成されていることを特徴とする請求項１から３のうちいずれか１項に記載の電波修正時計。
【請求項５】
前記受信リード板の材質はアモルファスであることを特徴とする請求項１から４のうちいずれか１項に記載の電波修正時計。
【請求項６】
時刻情報を含む電波を受信するアンテナと所定の情報を表示するための表示部材を駆動するモータとを備えた電波修正時計において、
前記アンテナは、コアとコイルとを有するアンテナ本体と、前記コアに磁気的に結合された、磁性材料からなる少なくとも一つの受信リード板とを含み、
前記電波修正時計の中心と前記アンテナ本体の中心とを通り、かつ前記コアの軸に対して略直交する方向に沿って仮想的に設定された分割線により分割して得られた２つの分割領域のうち、少なくとも一方の分割領域に前記モータが配置され、
前記モータのうち少なくとも一部が、前記受信リード板と平面視において重なるように配置され、
電池を有し、
前記受信リード板と前記電池とが、平面視において互いに重ならないように配置されていることを特徴とする電波修正時計。
【請求項７】
電池を有し、
前記受信リード板と前記電池とが、平面視において互いに重ならないように配置されていることを特徴とする請求項１から５のうちいずれか１項に記載の電波修正時計。
【請求項８】
前記電池は、前記電波修正時計の中心を挟んで、前記アンテナ本体とは反対側の領域に配置されていることを特徴とする請求項６または７に記載の電波修正時計。
【請求項９】
前記モータの数は２つであり、
前記電波修正時計の中心を通る仮想的な２本の直交する直線によって、前記電波修正時計を平面視で４つのブロック領域に分割したとき、前記２つのモータと前記アンテナ本体と前記電池とが、前記４つのブロック領域に各別に配置されていることを特徴とする請求項６から８のうちいずれか１項に記載の電波修正時計。
【請求項１０】
少なくとも一部が金属製の一又は複数の外部操作部材を有し、
前記外部操作部材は、前記４つのブロック領域のうち、前記受信リード板および前記アンテナ本体がそれぞれ配置されたブロック領域を除いたブロック領域に配置されていることを特徴とする請求項９に記載の電波修正時計。
【請求項１１】
平面視において前記２つのモータと各別に重なる２つの耐磁板を有し、
前記２つの耐磁板は、対応する各モータを前記厚さ方向に沿って挟むように前記受信リード板とは反対側に配置され、前記２つの耐磁板同士は離間して配置されていることを特徴とする請求項６から１０のうちいずれか１項に記載の電波修正時計。
【請求項１２】
前記受信リード板の材質はアモルファスであり、前記耐磁板の材質はステンレスであることを特徴とする請求項６から１１のうちいずれか１項に記載の電波修正時計。
【請求項１３】
外部操作部材を有し、
時計中心と前記アンテナの一方の端部とを結ぶ線と、時計中心と前記アンテナの他方の端部とを結ぶ線とによって、前記アンテナを含む領域と含まない領域とに２分割したとき、
前記アンテナを含まない領域に前記外部操作部材を配置したことを特徴とする請求項１から１２のうちいずれか１項に記載の電波修正時計。
【請求項１４】
時刻情報を含む電波を受信するアンテナと所定の情報を表示するための表示部材を駆動するモータとを備えた電波修正時計において、
前記アンテナは、コアとコイルとを有するアンテナ本体と、前記コアに磁気的に結合された、磁性材料からなる少なくとも一つの受信リード板とを含み、
前記電波修正時計の中心と前記アンテナ本体の中心とを通り、かつ前記コアの軸に対して略直交する方向に沿って仮想的に設定された分割線により分割して得られた２つの分割領域のうち、少なくとも一方の分割領域に前記モータが配置され、
前記モータのうち少なくとも一部が、前記受信リード板と平面視において重なるように配置され、
前記受信リード板よりも文字板側に金属製の板状部材が配置され、前記金属製の板状部材に、平面視において前記受信リード板を文字板側に露出させる切欠部が形成されていることを特徴とする電波修正時計。
【請求項１５】
前記受信リード板よりも文字板側に金属製の板状部材が配置され、前記金属製の板状部材に、平面視において前記受信リード板を文字板側に露出させる切欠部が形成されていることを特徴とする請求項１から１３のうちいずれか１項に記載の電波修正時計。
【請求項１６】
フィルム状のソーラセルを有し、
前記金属製の板状部材は、前記ソーラセルを保持するものであることを特徴とする請求項１４または１５に記載の電波修正時計。
【請求項１７】
前記受信リード板と前記耐磁板とを、前記分割線を挟んで離間して対向配置したことを特徴とする請求項１に記載の電波修正時計。
【請求項１８】
時刻情報を含む電波を受信するアンテナと所定の情報を表示するための表示部材を駆動するモータとを備えた電波修正時計において、
前記アンテナは、コアとコイルとを有するアンテナ本体と、前記コアに磁気的に結合された、磁性材料からなる少なくとも一つの受信リード板とを含み、
前記電波修正時計の中心と前記アンテナ本体の中心とを通り、かつ前記コアの軸に対して略直交する方向に沿って仮想的に設定された分割線により分割して得られた２つの分割領域のうち、少なくとも一方の分割領域に前記モータが配置され、
前記モータのうち少なくとも一部が、前記受信リード板と平面視において重なるように配置され、
前記受信リード板は、平面視において、前記モータのうちロータ磁石を除いた前記コイルおよびステータに重ねられていることを特徴とする電波修正時計。
【請求項１９】
前記受信リード板は、平面視において、前記モータのうちロータ磁石を除いた前記コイルおよびステータに重ねられていることを特徴とする請求項１から１７のうちいずれか１項に記載の電波修正時計。
【請求項２０】
時刻情報を含む電波を受信するアンテナと所定の情報を表示するための表示部材を駆動するモータとを備えた電波修正時計において、
前記アンテナは、コアとコイルとを有するアンテナ本体と、前記コアに磁気的に結合された、磁性材料からなる少なくとも一つの受信リード板とを含み、
前記電波修正時計の中心と前記アンテナ本体の中心とを通り、かつ前記コアの軸に対して略直交する方向に沿って仮想的に設定された分割線により分割して得られた２つの分割領域のうち、少なくとも一方の分割領域に前記モータが配置され、
前記受信リード板は、平面視において、前記モータの外側を取り囲むように環状に形成されていることを特徴とする電波修正時計。
【請求項２１】
前記受信リード板の材質はアモルファスであることを特徴とする請求項１８から２０のうちいずれか１項に記載の電波修正時計。
【請求項２２】
時刻情報を含む電波を受信するアンテナと所定の情報を表示するための表示部材を駆動するモータとを備えた電波修正時計において、
前記アンテナは、コアとコイルとを有するアンテナ本体と、前記コアに磁気的に結合された、磁性材料からなる少なくとも一つの受信リード板とを含み、
前記電波修正時計の中心と前記アンテナ本体の中心とを通り、かつ前記コアの軸に対して略直交する方向に沿って仮想的に設定された分割線により分割して得られた２つの分割領域のうち、少なくとも一方の分割領域に前記モータが配置され、
前記モータのうち少なくとも一部が、前記受信リード板と平面視において重なるように配置され、
前記受信リード板は、その平板面が、前記アンテナおよび前記モータが収容される時計ケースの文字板に対向するように、配されていることを特徴とする電波修正時計。
【請求項２３】
前記受信リード板は、その平板面が、前記アンテナおよび前記モータが収容される時計ケースの文字板に対向するように、配されていることを特徴とする請求項１から２１のうちいずれか１項に記載の電波修正時計。
【発明の詳細な説明】
【技術分野】
【０００１】
本発明は、時刻情報を含む標準電波をアンテナで受信し、その受信した情報に基づいて指針等の表示部材による時刻指示を修正する電波修正時計に関し、詳細には、アンテナとモータとの配置の改良に関する。
【背景技術】
【０００２】
近年、いわゆる電波修正時計が広く普及してきている。この電波修正時計は、時刻情報を含む標準電波（時刻修正電波）を、時計に内蔵されたアンテナによって受信し、その受信した時刻情報を処理して、時計の指針が正確な時刻を指し示すように運針駆動用モータを駆動制御することで、非常に精度の高い時刻指示を実現している。
【０００３】
ここで、アンテナによって電波を感度よく受信するためには、アンテナをより大きくすることが好ましい。その一例として、アンテナコアに延長部を設けて受信感度を向上させる技術が提案されている（特許文献１）。
【０００４】
しかし、例えば腕時計のように、内部の収容空間の大きさに限りのある時計においては、指針や運針駆動用モータ、電池などの既存部品等との配置の関係から、アンテナだけを大きくするのは容易ではない。
【０００５】
特に、電波修正時計では、モータや金属製の既存部品等が、アンテナの受信性能に影響を及ぼす虞があることから、部品相互の位置関係も非常に重要であり、アンテナの配置や大きさには制限が多いといえる。
【特許文献１】特開平１１−６４５４７号公報
【発明の開示】
【発明が解決しようとする課題】
【０００６】
ところで、電子時計は、ＴＶなどから放射される磁気ノイズが当該モータの動作に影響を与えることがある。このような磁気ノイズの影響を防ぐためには、モータに対する磁気ノイズの進入を遮るように、モータの上面または下面に耐磁板を配置する必要がある。
【０００７】
そして、電波修正時計の場合も例外ではなく、このような耐磁板が用いられる。この耐磁板は磁性材料から成るため、配置する位置や大きさによっては、アンテナによる電波の受信性能に対して特に影響を及ぼしやすい。
【０００８】
従って、電波修正時計のサイズを大きくせずに電波修正時計の受信性能を向上させようとすると、アンテナを大きくする代わりに耐磁板を小さくする必要があり、反対に、電波修正時計のサイズを大きくせずに電波修正時計の耐磁性能を向上させようとすると、耐磁板を大きくする代わりにアンテナを小さくする必要があった。
【０００９】
このように、従来、受信性能と耐磁性能とは相反する特性と考えられており、一方の性能の制約の下に他方の性能の向上が図られ、受信性能向上と耐磁性能向上とを両立させるのは難しいという制約の問題があった。
【００１０】
本発明は上記事情に鑑みなされたものであって、受信性能と耐磁性能との制約の問題を回避して、モータに対する耐磁性能を損なうことなくアンテナによる電波の受信性能を向上させることができる電波修正時計を提供することを目的とする。
【課題を解決するための手段】
【００１１】
本発明に係る電波修正時計は、アンテナのコア延長部としての受信リード板を、耐磁板としても機能させることで、受信リード板の他に耐磁板を別途設ける必要がなく、受信性能と耐磁性能との制約の問題を回避して、モータに対する耐磁性能を損なうことなくアンテナによる電波の受信性能を向上させるものである。
【００１２】
すなわち、本発明に係る電波修正時計は、時刻情報を含む電波を受信するアンテナと所定の情報を表示するための表示部材（指針等）を駆動するモータとを備えた電波修正時計において、前記アンテナは、コアとコイルとを有するアンテナ本体と、前記コアに磁気的に結合された、磁性材料からなる少なくとも一つの受信リード板とを含み、前記電波修正時計の中心と前記アンテナ本体の中心とを通り、かつ前記コアの軸に対して略直交する方向に沿って仮想的に設定された分割線により分割して得られた２つの分割領域のうち、少なくとも一方の分割領域に前記モータが配置され、前記モータのうち少なくとも一部が、前記受信リード板と平面視において重なるように配置され、前記モータは複数のモータであり、前記複数のモータのうち２つのモータは、前記２つの分割領域に各別に配置され、前記２つの分割領域に各別に配置された２つのモータのうち少なくとも一方のモータの少なくとも一部が、前記受信リード板と平面視において重なるように配置され、前記コアおよび前記受信リード板から離れた位置に耐磁板が設けられ、前記耐磁板は、前記２つのモータのうち他方のモータと平面視において重なるように配置されていることを特徴とする。
【００１３】
ここで、受信リード板とは、磁性材料からなる板状体であって、上述した先行技術におけるコアの延長部として機能するものである。本発明においては、細長片状に形成されているのが、占有スペースを抑制するうえで好ましく、また、材質としては耐磁性能および受信性能を確保する上で、アモルファスであることが好ましい。
【００１４】
また、「平面視において」とは、電波修正時計の厚さ方向に沿った矢視による透視図において、の意味である。以下の発明においても同様である。
【００１５】
このように構成された本発明に係る電波修正時計によれば、平面視において、受信リード板がモータの一部を覆うことによって、受信リード板が、モータに与える磁気ノイズの影響を低減させる耐磁板として機能するため、耐磁板を追加することなく、モータの動作精度が低下するのを防止することができる。特に、受信リード板の材質がアモルファスの場合は、耐磁板として高い性能を発揮することができる。
【００１６】
したがって、受信リード板の他に耐磁板を別途設ける必要がなく、受信性能と耐磁性能との制約の問題を回避して、モータに対する耐磁性能を損なうことなくアンテナによる電波の受信性能を向上させることができる。
【００１７】
また、モータが、コアの軸に対して略直交する方向に沿った分割線上に配置されていないため、受信リード板を分割線上まで延長する必要がなく、そのように受信リード板を分割線上まで延長した場合に生じるいびつな形状に形成することがなく、受信リード板の形状の選択自由度を高めることができる。
【００１８】
本発明に係る第二の電波修正時計は、時刻情報を含む電波を受信するアンテナと所定の情報を表示するための表示部材（指針等）を駆動するモータとを備えた電波修正時計において、前記アンテナは、コアとコイルとを有するアンテナ本体と、前記コアに磁気的に結合された、磁性材料からなる少なくとも一つの受信リード板とを含み、前記電波修正時計の中心と前記アンテナ本体の中心とを通り、かつ前記コアの軸に対して略直交する方向に沿って仮想的に設定された分割線により分割して得られた２つの分割領域のうち、少なくとも一方の分割領域に前記モータが配置され、前記受信リード板は、平面視において、前記モータの外側を取り囲むように環状に形成されていることを特徴とする。
【００１９】
このように構成された本発明に係る第二の電波修正時計によれば、平面視において、受信リード板がモータの外側を取り囲むように環状に形成されていることによって、受信リード板が、モータに与える磁気ノイズの影響を低減させる耐磁板として機能するため、耐磁板を追加することなく、モータの動作精度が低下するのを防止することができる。特に、受信リード板の材質がアモルファスの場合は、耐磁板として高い性能を発揮することができる。
【００２０】
したがって、受信リード板の他に耐磁板を別途設ける必要がなく、受信性能と耐磁性能との制約の問題を回避して、モータに対する耐磁性能を損なうことなくアンテナによる電波の受信性能を向上させることができる。
【００２１】
また、モータが、コアの軸に対して略直交する方向に沿った分割線上に配置されていないため、受信リード板を分割線上まで延長する必要がなく、そのように受信リード板を分割線上まで延長した場合に生じるいびつな形状に形成することがなく、受信リード板の形状の選択自由度を高めることができる。
【発明の効果】
【００２２】
本発明の電波修正時計によれば、受信リード板の他に耐磁板を別途設ける必要がなく、受信性能と耐磁性能との制約の問題を回避して、モータに対する耐磁性能を損なうことなくアンテナによる電波の受信性能を向上させることができる。
【発明を実施するための最良の形態】
【００２３】
以下、本発明に係る電波修正時計の実施の形態について、図面を用いて説明する。
（実施例）
図１は本発明の一実施形態に係る電波修正時計（腕時計）１００を示す、文字板等を除去した状態における平面視による図、図２は図１に示した電波修正時計１００におけるアンテナ５０を示す模式図（斜視図）、図３は図１におけるＡ−Ａ線に沿った断面を示す断面図、図４は図１に示した電波修正時計１００の特徴を説明する平面図である。
【００２４】
図示の電波修正時計１００は、指針駆動ユニット２０が時計ケース１０の内部の収容空間１１０に収容されたものであり、図２，３に示すように、コア５１ａとコイル５１ｂとを有するアンテナ本体５１と、フェライトブロック５１ｃを介してコア５１ａに磁気的に結合された、磁性材料からなる一つの受信リード板５２とを含むアンテナ５０を有している。
【００２５】
ここで、アンテナ本体５１と受信リード板５２とは、時計１００の厚さ方向Ｈにおける同一面上にはなく、受信リード板５２は、アンテナ本体５１のコア５１ａよりも、フェライトブロック５１ｃの高さＨ１だけ文字板１２側に配置される。
【００２６】
そして、これらアンテナ本体５１と受信リード板５２とは、アンテナ５０と部品の段階で予め一体化されているのものではなく、時計１００として組み立てられる段階で、アンテナ本体５１のコア５１ａ、フェライトブロック５１ｃと受信リード板５２とが当接して磁気的に一体化され、アンテナ５０として形成される。
【００２７】
この受信リード板５２は、フェライトブロック５１ｃを介してコア５１ａに連なり、アンテナ５０の長さを延長したのと実質的に同等の効果が発揮される。
【００２８】
また、コア５１ａと受信リード板５２との間のフェライトブロック５１ｃの高さＨ１を変化させることで、アンテナ５０は全体の高さ（時計１００の厚さ方向Ｈの高さ）を時計１００の狭い収容空間１１０内での配置の自由度を高めることができる。
【００２９】
すなわち、従来の電波修正時計におけるアンテナのように、受信電波（標準時刻電波）に応じてコアを長くしようとしても、その所望とする長さの空間を狭い収容空間１１０内で確保するのは難しいが、本実施形態のように、アンテナ本体５１のコア５１ａと受信アンテナ５２とはそれぞれ短く形成され、しかもこれらは互いに異なる任意の高さ位置に配置することができるため、配置の自由度を大きく向上させることができる。
【００３０】
なお、フェライトブロック５１ｃの高さＨ１は、時計１００の収容空間１１０の高さ（深さ）Ｈよりも低い（短い）（Ｈ１＜Ｈ）ことはいうまでもない。
【００３１】
また、受信リード板５２の材質はアモルファスであり、後述する耐磁板６０の材質はステンレスである。
【００３２】
さらに、受信リード板５２は、図３に示すように、その平板面がアンテナ５０、日車駆動用モータ３０（一方のモータ）、および指針駆動用モータ４０（他方のモータ）が収容される時計ケース１０の文字板１２に対向するように配されており、受信リード板５２による電波の捕捉性能を向上させている。なお、図３において、符号１３は時計ケース１０の収容空間１１０を上方から覆う風防ガラスである。
【００３３】
本実施形態の電波修正時計１００は、所定の時刻に上述したアンテナ５０によって標準電波を受信し、指針駆動ユニット２０が備える駆動制御回路２１が、この受信された標準電波に基づいて指針駆動用モータ４０を駆動制御し、指針（所定の情報を表示するための表示部材）の指し示す時刻等表示を精度よく調整している。
【００３４】
本実施形態における指針駆動用モータ４０は、時計１００の表示部材である指針のうち所定の情報として秒および分をそれぞれ表示するための秒針および分針の駆動を制御するモータであり、所定の情報として時および日をそれぞれ表示するための時針および日車の駆動は、指針駆動用モータ４０とは別異に備えられた日車駆動用モータ３０（指針を駆動するモータの一例）によってなされる。
【００３５】
ここで、指針駆動用モータ４０は、日車駆動用モータ３０よりも駆動頻度の高いモータであるが、この駆動頻度の高い指針駆動用モータ４０は、相対的に駆動頻度の低い日車駆動用モータ３０よりも一日当たりの消費電力は大きい。
【００３６】
そこで、駆動頻度の高い指針駆動用モータ４０は頻度の低い日車駆動用モータ３０よりも、その保持力が低く抑えられて消費電力を抑制している。この結果、指針駆動用モータ４０は日車駆動用モータ３０よりも磁気ノイズの影響を受けやすい。これに対して日車駆動用モータ３０は、その保持力が指針駆動用モータ４０より大きいため、磁気ノイズの影響を指針駆動用モータ４０より受けにくい。
【００３７】
また、日車駆動用モータ３０は、電波修正時計１００の中心Ｃ１とアンテナ本体５１の中心Ｃ２とを通り、かつコア５１ａの軸Ｌに対して略直交する方向に沿って仮想的に設定された分割線Ｌ１により分割して得られた平面視における２つの分割領域ｒ１，ｒ２のうち一方の分割領域ｒ１に配置されており、平面視において、この日車駆動用モータ３０のうち大部分は受信リード板５２と重なるように配置されている。
【００３８】
ここで、「平面視において」とは、電波修正時計１００の厚さ方向に沿った矢視による透視図において、の意味である。
【００３９】
このように平面視において受信リード板５２が日車駆動用モータ３０の一部を覆う（重ねる）ことによって、受信リード板５２が日車駆動用モータ３０に与える磁気ノイズの影響を低減させる耐磁板としても機能するため、この日車駆動用モータ３０に対して、耐磁板を別途追加することなく、日車駆動用モータ３０の誤動作を防止することができる。
【００４０】
また、日車駆動用モータ３０はコア５１ａの軸Ｌに対して略直交する方向に沿った分割線Ｌ１上に配置されていないため、受信リード板５２を日車駆動用モータ３０に重ねるために受信リード板５２を分割線Ｌ１上まで延長する必要がなく、受信リード板５２を分割線Ｌ１上まで延長したいびつな形状に形成する必要がなく、受信リード板５２の形状の選択自由度を高めることができる。
【００４１】
本実施形態の電波修正時計１００の指針駆動用モータ４０は、図４に示すように、上記２つの分割領域ｒ１，ｒ２のうち他方の領域ｒ２に配置されている。この結果、２つのモータ３０，４０は２つの分割領域ｒ１，ｒ２に各別に配置されていることとなる。
【００４２】
これにより、これら２つのモータ３０，４０は、２つの分割領域ｒ１，ｒ２にそれぞれ分配して配置され、モータ３０，４０の配置バランスを適切化することができる。
【００４３】
また、それら２つのモータ３０，４０のうち一方のモータ３０については、上述した受信リード板５２による耐磁板の機能を発揮させることで、専用の耐磁板の追加を最小限に抑制することができる。
【００４４】
一方、保持力が相対的に小さい指針駆動用モータ４０に対しては、アンテナ本体５１のコア５１ａおよび受信リード板５２から離れた位置であって、平面視においてこのモータ４０に重なる耐磁板６０が配置されている。
【００４５】
なお、「耐磁板６０がコア５１ａおよび受信リード板５２から離れた位置に設けられる」とは、平面視において耐磁板６０がコア５１ａおよび受信リード板５２から離れていることに限るものではなく、電波修正時計１００の厚さ方向（平面視方向に沿った方向）において離れた位置であってもよい。すなわち、耐磁板６０が、時計１００の厚さ方向Ｈにおいてコア５１ａおよび受信リード板５２から離れて配置されている場合には、平面視において耐磁板６０がコア５１ａまたは受信リード板５２に重なっている配置あってもよい。
【００４６】
このように、２つのモータ３０，４０のうち、電波による影響をより抑制したい側の他方のモータ４０、すなわち保持力が相対的に小さい方の指針駆動用モータ４０は、専用の耐磁板６０によって電波が遮蔽されるため、受信リード板５２による耐磁効果よりも強力な耐磁効果を得ることができ、指針駆動用モータ４０の動作精度の信頼性を高めることができる。
【００４７】
また、アンテナ本体５１におけるコア５１ａの一方の端部にだけ、受信リード板５２を磁気的に結合することにより、アンテナ５０の受信指向性を変化させることができる。
【００４８】
受信リード板５２をコア５１ａに磁気的に結合しない場合、アンテナ本体５１の受信指向性はコア５１ａの軸Ｌとほぼ直交する方向であり、図１に示したアンテナ本体５１の姿勢・配置による受信指向性は、仮想的に設定された分割線Ｌ１に沿って、時計中心からコア５１ａの中心に向かう７時方向〜８時方向である。
【００４９】
これに対して、受信リード板５２をコア５１ａに磁気的に結合して図１に示したアンテナ本体５１および受信リード板５２の姿勢・配置によるアンテナ５０（アンテナ本体５１と受信リード板５２とからなる）の受信指向性は、ほぼ９時方向となる。
【００５０】
このように、受信指向性の観点から見ると、受信リード板５２は、アンテナ本体５１の受信指向性を調整する受信指向性調整手段として作用する。
【００５１】
なお、受信リード板５２は、耐磁板として耐磁性能を向上させるとともにアンテナコア延長部として受信性能を向上させる材料により形成されていればよく、アモルファスに限定されるものではない。
【００５２】
また耐磁板６０もステンレスに限定されるものではない。但し、耐磁板６０は、受信リード板５２のように受信性能を考慮する必要がない代わりに、保持力を低く抑えて消費電力を抑制したモータを使用できるように、受信リード板５２よりも最大飽和磁束密度の大きな材料で形成してより、高い耐磁性能を得られるようにすることが好ましい。
【００５３】
耐磁板６０よりも最大飽和磁束密度の低い特性を有する材料で形成された受信リード板５２は、耐磁板６０ほどではないものの耐磁性能を有するため、平面視で日車駆動用モータ３０に重ねることにより、このモータ３０に対する外部の磁界、すなわち前述の磁気ノイズからの影響を低減することができる。
【００５４】
なお、最大飽和磁束密度とは、単位面積当たりに流すことができる磁束の最大量を意味する。外部磁界によって磁化されない（軟）磁性材の耐磁板６０（受信リード板５２）をモータ４０（モータ３０）の付近に配置することで、外部からの磁束を耐磁板６０（受信リード板５２）に集め、モータ４０（特にロータ）（モータ３０）に流れる外部からの磁束を減らすことができる。それにより、モータ４０（モータ３０）が受ける外部からの磁界の影響を少なくし、耐磁性能を高めることができる。
【００５５】
最大飽和磁束密度が高い材料を用いることにより、形状や大きさが同じ耐磁板であっても、それが集めることのできる磁束量を増やすことができ、外部からの磁界の影響を一層減らすことができる。板状の耐磁板６０（受信リード板５２）を配置する場合は、平面視においてモータ４０（モータ３０）と重ねることにより、モータ４０（モータ３０）が外部の磁界から受ける影響を低減することができる。
【００５６】
また、本実施形態の電波修正時計１００は、各モータ３０，４０および駆動制御回路２１に電力を供給する電源である電池７０を備えているが、この電池７０と受信リード板５２とは、図４に示すように、平面視において互いに重ならないように配置されている。
【００５７】
さらに、電池７０は、電波修正時計１００の中心Ｃ１を挟んで、アンテナ本体５１とは反対側の領域、すなわち、電波修正時計１００の中心Ｃ１を通り分割線Ｌ１に直交する分割線Ｌ２によって電波修正時計１００を２つの領域ｒ３，ｒ４に分割したとき、電池７０が配置された領域ｒ４は、アンテナ本体５１が配置された領域ｒ３とは、中心Ｃ１を挟んで反対側の領域となっている。
【００５８】
このように、平面視において、電池７０が受信リード板５２と重ならないため、電池７０と受信リード板５２とが重なる配置の場合に生じる電波修正時計１００の厚さ方向Ｈの増大を抑制することができる。
【００５９】
また、電池７０が受信リード板５２と平面視で重なる配置では、アンテナ５０による電波の受信性能を低下させる虞があるが、平面視でこれらが重ならない配置であることによって、そのような虞を排除することができる。
【００６０】
さらに、電波修正時計１００の中心Ｃ１を挟んで、アンテナ本体５１とは反対側の領域ｒ４は、アンテナ本体５１から最も遠い領域であり、この遠い領域ｒ４に電池７０を配置することで、電池７０がアンテナ５０による電波の受信に与える影響を最小限に抑制することができる。
【００６１】
また、受信リード板５２には、図５（ｂ）（図５（ａ）のＤ−Ｄ線に沿った断面を示す図）に示すように、平面視において日車駆動用モータ３０のうちロータ磁石４１に対応する部分に孔５２ａが形成されており、受信リード板５２はこのロータ磁石４１を除いたコイルやステータに重ねられている。
【００６２】
受信リード板５２は磁性体であるため、受信リード板５２がロータ磁石４１に近接していると、その磁力によってロータ磁石４１は受信リード板５２に引き寄せられ、この結果、ロータの回転に予期しない負荷が生じる虞がある。
【００６３】
しかし、本実施形態の電波修正時計１００においては、平面視において、ロータ磁石４１に対応する部分には受信リード板５２が重ねられていないため、上述した磁力による負荷がロータに作用することがなく、したがって、日車駆動用モータ３０に負荷が発生するのを防止することができ、負荷の発生に伴う消費電力の増大を防止することができる。
【００６４】
ここで、図５（ａ）に示すように、本実施形態の電波修正時計１００は、受信リード板５２やアンテナ本体５１よりも上方側（文字板１２側）に金属製の板状部材９１が被されている。この金属製の板状部材９１は、文字板１２を形成するフィルム状のソーラセルを背面側から保持する部材であり、この板状部材９１には、平面視において受信リード板５２やアンテナ本体５１のコア５１ａの一部等を文字板１２側に露出させる切欠部９１ａ，９１ｂ，９１ｃ，９１ｄが形成されている。
【００６５】
この板状部材９１は、非磁性材料のソーラセル（文字板１２）を保持する剛性を確保するため金属製であるが、金属製であるが故に、風防ガラス１３および文字板１２を通して進行してくる電波を遮蔽する。そして、この金属製の板状部材９１の背面側に配置された受信リード板５２やコア５１ａに電波が届きにくくなり、電波の受信性能の低下を招くことになるが、本実施形態においては、板状部材９１に、受信リード板５２等を文字板１２側に露出させる切欠部９１ａ等（９１ａ，９１ｂ，９１ｃ，９１ｄ）が形成されているため、風防ガラス１３および文字板１２を通して進行した電波は、この切欠部９１ａ等を通して受信リード板５２等に到達し、これにより、電波の受信性能が低下するのを防止することができる。
【００６６】
なお、金属製の板状部材９１が保持するソーラセルは、太陽光の光エネルギを電気エネルギに変換し、二次電池７０に供給するため、省エネルギを実現している。
【００６７】
また、本実施形態の電波修正時計１００は、指針や日車の指示を修正したり、秒針を停止させるための外部操作部材８０を有しているが、図４に示すように、時計１００の中心Ｃ１とアンテナ５０（受信リード板５２を含む）の一方の端部とを結ぶ線Ｌ３と、時計１００の中心Ｃ１とアンテナ５０の他方の端部とを結ぶ線Ｌ４とによって、アンテナ５０を含む領域ｒ５と含まない領域ｒ６とに２分割したとき、外部操作部材８０（時計ケース１０の外部に突出する図示しない竜頭を含む）は、アンテナ５０を含まない領域ｒ６に配置されている。
【００６８】
そして、外部操作部材８０が上述したアンテナ５０を含まない領域ｒ６に配置されていることによって、平面視において、外部操作部材８０がアンテナ５０と重ならないため、外部操作部材８０とアンテナ５０とが重なる配置の場合に生じる電波修正時計１００の厚さの増大を抑制することができる。
【００６９】
また、外部操作部材８０が金属製の場合は、アンテナ５０による電波の受信性能に影響を及ぼすのを抑制することもできる。例えば、外部操作部材が、時計ケース１０の外部に突出して配置される金属製のプッシュボタンの場合も、アンテナ５０による電波の受信性能に影響を及ぼすのを考慮して、アンテナ５０を含まない領域ｒ６の周縁部に配置するのが好ましい。
【００７０】
なお、アンテナ５０の端部とは、アンテナ５０が受信リード板５２を含む側では、その受信リード板５２の先端部であり、受信リード板５２を含まない側では、アンテナ本体５１の端部である。したがって、アンテナ５０がアンテナ本体５１の両端に受信リード板５２をそれぞれ含む構成の電波修正時計にあっては、アンテナ５０の端部とは、両受信リード板５２の先端部である。
【００７１】
本実施形態の電波修正時計１００は、指針駆動用モータ４０と日車駆動用モータ３０という２つのモータを有しているが、図６に示すように、電波修正時計１００の中心Ｃ１を通る仮想的な２本の直交する直線Ｌ５，Ｌ６によって、電波修正時計１００を平面視で４つのブロック領域ｒ１１，ｒ２１，ｒ３１，ｒ４１に分割したとき、２つのモータ３０，４０とアンテナ本体５１と電池７０とが、４つのブロック領域ｒ２１，ｒ４１，ｒ１１，ｒ３１に各別に配置されており、この構成によって、アンテナ本体５１、電池７０および両モータ３０，４０を、バランスよく電波修正時計１００の内部に収容することができる。
【００７２】
また、電池７０とアンテナ本体５１とは、互いに隣接したブロック領域には配されないため、電池７０とアンテナ本体５１とを、時計１００内部の限られた収容空間１１０内で最大限に離隔させることができ、電池７０が、アンテナ５０による電波の受信性能に対して与える影響を最小限に抑制することができる。
【００７３】
さらに、外部操作部材８０が金属製の場合、４つのブロック領域ｒ１１，ｒ２１，ｒ３１，ｒ４１のうち、外部操作部材８０は、受信リード板５２およびアンテナ本体５１がそれぞれ配置されたブロック領域ｒ２１，ｒ１１を除いたブロック領域ｒ３１に配置されているため、金属製の外部操作部材８０が、受信リード板５２およびアンテナ本体５１による電波の受信性能に対して与える影響を抑制することができる。
【００７４】
例えば、外部操作部材が、時計ケース１０の外部に突出して配置される金属製のプッシュボタンの場合も、アンテナ５０による電波の受信性能に影響を及ぼすのを考慮して、受信リード板５２およびアンテナ本体５１が配置されていないブロックｒ３１やｒ４１の周縁部に配置するのが好ましい。
【００７５】
なお、耐磁板６０が設置されているブロック領域ｒ４１については、外部操作部材８０が配設されていてもよい。この場合は、外部操作部材８０が耐磁板６０の近くに配置されていても、電波の受信性能に影響を与えないからである。
【００７６】
本実施形態の電波修正時計１００は、図６におけるＥ−Ｅ線に沿った断面である図７に示すように、アンテナ本体５１のアンテナ巻枠５１ｅの端部に、指針駆動ユニット２０の駆動制御回路２１を有する基板２９に向けて凸となるダンパ部５１ｆが形成されており、このダンパ部５１ｆが基板２９との当接により、矢印方向（図示上向き）の反力を受けてアンテナ巻枠５１ｅが矢印方向に押圧され撓む。
【００７７】
そして、この撓んだ分の変位量に応じた図示上向きの荷重をコア５１ａに付与し、この荷重はコア５１ａから、フェライトブロック５１ｃ、受信リード板５２に順次伝達される。受信リード板５２は、その上面が他部品によって押さえられているため、フェライトブロック５１ｃから伝達された荷重によって上方に変位することができず、この結果、この荷重は、コア５１ａ、フェライトブロック５１ｃおよび受信リード板５２を互いに押圧する荷重として作用し、アンテナ本体５１と受信リード板５２とを強固に圧接させることができ、両者の磁気的な結合を強固に維持することができる。
【００７８】
また、受信リード板５２は、図６におけるＦ−Ｆ線に沿った断面である図８に示すように、樹脂部材２８ａ，２８ｃ，２８ｄによって固定されている。樹脂部材２８ａは指針駆動ユニット２０の外周壁に相当する部分であり、その上端部が受信リード板５２の上面側に屈曲した庇形状を呈しており、この庇形状部分２８ｂが受信リード板５２の縁部の上面を押さえている。
【００７９】
さらに、樹脂部材２８ｃ，２８ｄは金属製のネジ等締結部材２７によって締結されており、受信リード板５２は、これら樹脂部材２８ｃ，２８ｄの間に配置されて、両樹脂部材２８ｃ，２８ｄによって挟持されている。
【００８０】
このように、受信リード板５２は、樹脂部材２８ａ，２８ｃ，２８ｄによって固定され、金属製の締結部材２７と接触しないため、受信リード板５２は、その電波の受信性能に影響を与えられることなく保持される。
【００８１】
以上のように、本実施形態に係る電波修正時計１００によれば、日車駆動用モータ３０に対して、受信リード板５２の他に耐磁板を別途設ける必要がなく、受信性能と耐磁性能との制約の問題を回避して、日車駆動用モータ３０に対する耐磁性能を損なうことなくアンテナ５０による電波の受信性能を向上させることができる。
【００８２】
なお、日車駆動用モータ３０と指針駆動用モータ４０の両方を、図４の分割領域ｒ１に配置して、平面視において受信リード板５２が、日車駆動用モータ３０と指針駆動用モータ４０との両方を覆うように構成してもよい。
（変形例１）
上述した実施形態の電波修正時計１００は、日車駆動用モータ３０のみが、平面視において受信リード板５２と重なるように配置されている構成であるが、図９に示すように、指針駆動用モータ４０の一部も平面視において別異の受信リード板５３と重なるように配置されている構成を適用することもできる。
【００８３】
すなわち、図９に示した変形例の電波修正時計１００′は、アンテナ５０は、アンテナ本体５１の両端にそれぞれ受信リード板５２，５３を有し、２つのモータ３０，４０のうち日車駆動用モータ３０の少なくとも一部が、受信リード板５２と平面視において重なるように配置され、指針駆動用モータ４０の少なくとも一部が、アモルファスの受信リード板５３と平面視において重なるように配置された構成である。
【００８４】
なお、受信リード板５３が、受信リード板５２と同様に耐磁板の機能を発揮するため、図１の電波修正時計１００のように耐磁板６０は備えられていない。その他の構成は図１の電波修正時計と同じである。
【００８５】
このように構成された変形例の電波修正時計によれば、２つのモータ３０，４０のそれぞれの少なくとも一部を、平面視において２つの受信リード板５２，５３と各別に重ねて配置することで、両モータ３０，４０が磁気ノイズによって受ける影響を、それぞれ対応する受信リード板５２，５３による耐磁板の機能によって抑制することができ、しかもこれら２つの受信リード板５２，５３はコア５１ａの両端にそれぞれ、フェライトブロック５１ｃ、５１ｄを介して各別に結合させることができるため、バランスのよいアンテナ５０を形成することができる。
【００８６】
また、電波修正時計１００と同様に、日車駆動用モータ３０および指針駆動用モータ４０に対して、受信リード板５２，５３の他に耐磁板を別途設ける必要がなく、受信性能と耐磁性能との制約の問題を回避して、日車駆動用モータ３０，指針駆動用モータ４０に対する耐磁性能を損なうことなくアンテナ５０による電波の受信性能を向上させることができる。
【００８７】
なお、電池７０や外部操作部材８０との位置関係による構成や作用・効果については説明を省略するが、上述した実施形態の電波修正時計１００と同じである。
【００８８】
また、この変形例の電波修正時計１００′は、図１０に示すように、平面視において２つのモータ３０，４０と各別に重なる２つの耐磁板６１，６２を有し、２つの耐磁板６１，６２は、対応する各モータ３０，４０を時計１００′の厚さ方向に沿って挟むように受信リード板５２，５３とは反対側に配置され、２つの耐磁板６１，６２同士が離間して配置されているものとすることもできる。
【００８９】
２つの耐磁板６１，６２同士の離間は、時計１００′の厚さ方向Ｈまたは平面視において、離間していることを意味する。
【００９０】
受信リード板５２，５３がアンテナ本体５１の両端にそれぞれ磁気的に結合し、さらに、モータ３０，４０を挟んで受信リード板５２，５３とは反対側に、仮に、耐磁板６１，６２が一体化されていると、コア５１ａ→受信リード板５２→耐磁板６１及び耐磁板６２→受信リード板５３→コア５１ａという磁気的なループが形成されることがあり、このような磁気的なループが形成されるとアンテナ５０の受信性能が低下する。
【００９１】
これに対して、耐磁板６１，６２が、それぞれの対応するモータ３０，４０と平面視において重なるだけであって、両耐磁板６１，６２同士は離間していることで、耐磁板６１，６２が一体化していると仮定した場合に、この一体化された耐磁板６１，６２に生じる磁気的なループの発生を防止することができる。
（変形例２）
上述した実施形態の電波修正時計１００，１００′は、日車駆動用モータ３０の一部が、平面視において受信リード板５２と重なるように配置されている構成であるが、図１１に示すように、受信リード板５２に代えて、平面視において、日車駆動用モータ３０の外側を取り囲むように環状に形成された受信リード板５４を適用することもできる。
【００９２】
このように構成された電波修正時計１００″によっても、図１に示した実施形態の電波修正時計１００、図９に示した変形例の電波修正時計１００′と同様に、日車駆動用モータ３０に対して、受信リード板５２の他に耐磁板を別途設ける必要がなく、受信性能と耐磁性能との制約の問題を回避して、日車駆動用モータ３０に対する耐磁性能を損なうことなくアンテナ５０による電波の受信性能を向上させることができる。
【図面の簡単な説明】
【００９３】
【図１】本発明の一実施形態に係る電波修正時計（腕時計）を示す、文字板等を除去した状態における平面視による図である。
【図２】図１に示した電波修正時計におけるアンテナを示す模式図（斜視図）である。
【図３】図１におけるＡ−Ａ線に沿った断面を示す断面図である。
【図４】図１に示した電波修正時計の特徴を説明する平面図である。
【図５】（ａ）は受信リード板やアンテナ本体よりも上方側を金属製の板状部材が覆った様子を示す平面図、（ｂ）は（ａ）におけるＤ−Ｄ線に沿った断面を示す図である。
【図６】アンテナ本体、２つのモータおよび電池の各位置県警を説明する平面図である。
【図７】図６におけるＥ−Ｅ線に沿った断面を示す図である。
【図８】図６におけるＦ−Ｆ線に沿った断面を示す図である。
【図９】二つのモータのそれぞれの一部と平面視において重なる２つの受信リード板を有する電波修正時計の例を示す平面図である。
【図１０】図９に示した電波修正時計に耐磁板を付加した構成において、２つの耐磁板が離間した状態を示す斜視図である。
【図１１】受信リード板を環状に形成した例の電波修正時計を示す平面図である。
【符号の説明】
【００９４】
３０    日車駆動用モータ（日車および指針を駆動するモータ）
５０    アンテナ
５１    アンテナ本体
５１ａ  コア
５１ｂ  コイル
５１ｃ  フェライトブロック
５２    受信リード板
１００  電波修正時計
Ｃ１    時計の中心（平面視での中心）
Ｃ２    アンテナ本体の中心
Ｌ１    分割線
ｒ１，ｒ２  分割領域
【図１】
0005118429.tif 000002
【図２】
0005118429.tif 000003
【図３】
0005118429.tif 000004
【図４】
0005118429.tif 000005
【図５】
0005118429.tif 000006
【図６】
0005118429.tif 000007
【図７】
0005118429.tif 000008
【図８】
0005118429.tif 000009
【図９】
0005118429.tif 000010
【図１０】
0005118429.tif 000011
【図１１】
0005118429.tif 000012